(57)【特許請求の範囲】
【請求項１】
電子デバイスに適用されるオブジェクトの表示方法であって、
第１の表示領域に表示されるための複数のビデオデータに、予め設定されるタイプのオブジェクトを含む目標ビデオフレームが存在しているか否かを監視するステップと、
存在していると監視されたときに、現在監視された目標ビデオフレームから前記予め設定されるタイプのオブジェクトを抽出するステップと、
抽出されたオブジェクトを前記第１の表示領域と異なる第２の表示領域のサブ領域に表示するステップと、を含み、
１つのオブジェクトが１つのサブ領域に対応し、
前記現在監視された目標ビデオフレームから前記予め設定されるタイプのオブジェクトを抽出するステップは、
現在監視された目標ビデオフレームから、参照オブジェクトと異なる前記予め設定されるタイプのオブジェクトを抽出し、前記参照オブジェクトが現在監視された目標ビデオフレーム以前の目標ビデオフレームから抽出された前記予め設定されるタイプのオブジェクトであるステップを含む、ことを特徴とするオブジェクトの表示方法。
【請求項２】
前記第１の表示領域に表示されるための複数のビデオデータに、予め設定されるタイプのオブジェクトを含む目標ビデオフレームが存在しているか否かを監視するステップは、
第１の表示領域に表示されるための複数のビデオデータにおけるビデオフレームに対して、予め設定されるタイプのオブジェクト検出を行うステップと、
オブジェクト検出の検出結果に基づいて、予め設定されるタイプのオブジェクトを含む目標ビデオフレームが存在しているか否かを確定するステップと、を含む、
ことを特徴とする請求項１に記載のオブジェクトの表示方法。
【請求項３】
前記第１の表示領域に表示されるための複数のビデオデータにおけるビデオフレームに対して予め設定されるタイプのオブジェクト検出を行うステップの前に、さらに、
前記複数のビデオデータに対応するビデオキャプチャデバイスが予め設定されるタイプのオブジェクト検出をサポートするか否かを判定するステップと、
判定結果が否定であると、第１の表示領域に表示されるための複数のビデオデータにおけるビデオフレームに対して予め設定されるタイプのオブジェクト検出を継続するステップと、を含む
ことを特徴とする請求項２に記載のオブジェクトの表示方法。
【請求項４】
判定結果が肯定であると、前記ビデオキャプチャデバイスにより第１の表示領域に表示されるための複数のビデオデータにおけるビデオフレームに対して予め設定されるタイプのオブジェクト検出を行った検出結果に基づいて、予め設定されるタイプのオブジェクトを含む目標ビデオフレームが存在しているか否かを確定するステップをさらに含む、
ことを特徴とする請求項３に記載のオブジェクトの表示方法。
【請求項５】
前記抽出されたオブジェクトを第２の表示領域のサブ領域に表示するステップは、
予め設定される規則に従って、抽出されたオブジェクトをソートし、前記オブジェクトの配列の順番を取得するステップと、
前記配列の順番に従って、前記オブジェクトを第２の表示領域のサブ領域に表示するステップと、を含む、
ことを特徴とする請求項１に記載のオブジェクトの表示方法。
【請求項６】
前記第２の表示領域のサブ領域は縦方向に配置され、
前記配列の順番に従って前記オブジェクトを第２の表示領域のサブ領域に表示するステップは、
前記配列の順番に従って、各オブジェクトを下から上に第２の表示領域のサブ領域に表示するステップと、
前記オブジェクトにはサブ領域に表示されていないオブジェクトが存在しているか否かを判定するステップと、
存在していると判定すると、最も下方のサブ領域における第１のオブジェクトをクリアし、前記第１のオブジェクト以外の既に表示されている他のオブジェクトを、その自身が位置しているサブ領域の下方のサブ領域に順に移動させ、サブ領域に表示されていない一つのオブジェクトを最も上方のサブ領域に表示し、前記オブジェクトにはサブ領域に表示されていないオブジェクトが存在しているか否かを判定するステップに戻すステップと、を含み、
或いは、
前記第２の表示領域のサブ領域は横方向に配置され、
前記配列の順番に従って、前記オブジェクトを第２の表示領域のサブ領域に表示するステップは、
前記配列の順番に従って、各オブジェクトを左から右に第２の表示領域のサブ領域に表示するステップと、
前記オブジェクトにはサブ領域に表示されていないオブジェクトが存在しているか否かを判定するステップと、
存在していると判定すると、最も左方のサブ領域における第２のオブジェクトをクリアし、前記第２のオブジェクト以外の既に表示されている他のオブジェクトを、その自身が位置しているサブ領域の左方のサブ領域に順に移動させ、サブ領域に表示されていない一つのオブジェクトを最も右方のサブ領域に表示し、前記オブジェクトにはサブ領域に表示されていないオブジェクトが存在しているか否かを判定するステップに戻すステップと、を含む
ことを特徴とする請求項５に記載のオブジェクトの表示方法。
【請求項７】
抽出されたオブジェクトを第２の表示領域のサブ領域に表示した後に、さらに、
オブジェクト選別命令を取得し、前記オブジェクト選別命令には選別されるオブジェクトの目標タイプを含んでいるステップと、
前記オブジェクト選別命令に基づいて、前記第２の表示領域に現在表示されているオブジェクトから、前記目標タイプ以外のタイプに属するオブジェクトを確定するステップと、
前記第２の表示領域から前記目標タイプ以外のタイプに属するオブジェクトをクリアするステップと、を含む
ことを特徴とする請求項１に記載のオブジェクトの表示方法。
【請求項８】
抽出されたオブジェクトを第２の表示領域のサブ領域に表示した後に、さらに、
第３のオブジェクトに対するビデオ再生命令を取得するステップと、
前記第３のオブジェクトに対応する目標ビデオデータをサーチし、前記目標ビデオデータには前記第３のオブジェクトが位置している目標ビデオフレームを含んでいるステップと、
サーチされた目標ビデオデータを第３の表示領域に再生させるステップと、を含む
ことを特徴とする請求項１に記載のオブジェクトの表示方法。
【請求項９】
抽出されたオブジェクトを第２の表示領域のサブ領域に表示した後に、さらに、
前記オブジェクトに対応するビデオキャプチャデバイスのデバイス情報を確定するステップと、
前記第２の表示領域におけるオブジェクトが表示されているサブ領域に、前記オブジェクトに対応するデバイス情報を表示するステップと、を含む
ことを特徴とする請求項１にオブジェクトの表示方法。
【請求項１０】
電子デバイスに適用されるオブジェクトの表示装置であって、
第１の表示領域に表示されるための複数のビデオデータに、予め設定されるタイプのオブジェクトを含む目標ビデオフレームが存在しているか否かを監視し、存在していると監視された場合に、抽出モジュールをトリガーするための監視モジュールと、
現在監視された目標ビデオフレームから、参照オブジェクトと異なる前記予め設定されるタイプのオブジェクトを抽出し、前記参照オブジェクトが現在監視された目標ビデオフレーム以前の目標ビデオフレームから抽出された前記予め設定されるタイプのオブジェクトである前記抽出モジュールと、
抽出されたオブジェクトを前記第１の表示領域と異なる第２の表示領域のサブ領域に表示するための表示モジュールと、を含み、
１つのオブジェクトが１つのサブ領域に対応することを特徴とするオブジェクトの表示装置。
【請求項１１】
前記監視モジュールは、
第１の表示領域に表示されるための複数のビデオデータにおけるビデオフレームに対して、予め設定されるタイプのオブジェクト検出を行うためのオブジェクト検出サブユニットと、
オブジェクト検出の検出結果に基づいて、予め設定されるタイプのオブジェクトを含む目標ビデオフレームが存在しているか否かを確定するための目標ビデオフレーム確定サブユニットと、を含む
ことを特徴とする請求項１０に記載のオブジェクトの表示装置。
【請求項１２】
前記オブジェクトの表示装置は、さらに、
第１の表示領域に表示されるための複数のビデオデータにおけるビデオフレームに対して、予め設定されるタイプのオブジェクト検出を行う前に、前記複数のビデオデータに対応するビデオキャプチャデバイスが予め設定されるタイプのオブジェクト検出をサポートするか否かを判定し、判定結果が否定である場合にオブジェクト検出サブユニットをトリガーするための判定モジュールと、を含む
ことを特徴とする請求項１１に記載のオブジェクトの表示装置。
【請求項１３】
前記オブジェクトの表示装置は、さらに、
判定モジュールによる判定結果が肯定である場合には、前記ビデオキャプチャデバイスにより第１の表示領域に表示されるための複数のビデオデータにおけるビデオフレームに対して予め設定されるタイプのオブジェクト検出を行った検出結果に基づいて、予め設定されるタイプのオブジェクトを含む目標ビデオフレームが存在しているか否かを確定するための確定モジュールを含む
ことを特徴とする請求項１２に記載のオブジェクトの表示装置。
【請求項１４】
前記表示モジュールは、
予め設定される規則に従って、抽出されたオブジェクトをソートし、前記オブジェクトの配列の順番を取得するための配列順番確定サブユニットと、
前記配列の順番に従って、前記オブジェクトを第２の表示領域のサブ領域に表示するためのオブジェクト表示サブユニットと、を含む
ことを特徴とする請求項１０に記載のオブジェクトの表示装置。
【請求項１５】
前記第２の表示領域のサブ領域は縦方向に配置され、
前記オブジェクト表示サブユニットは、
前記配列の順番に従って、各オブジェクトを下から上に第２の表示領域のサブ領域に表示するための第１の表示サブモジュールと、
前記オブジェクトには、サブ領域に表示されていないオブジェクトが存在しているか否かを判定し、存在していると判定した場合に第１の更新サブモジュールをトリガーするための第１のオブジェクト判定サブモジュールと、
最も下方のサブ領域における第１のオブジェクトをクリアし、前記第１のオブジェクト以外の既に表示されている他のオブジェクトを、その自身が位置しているサブ領域の下方のサブ領域に順に移動させ、サブ領域に表示されていない一つのオブジェクトを最も上方のサブ領域に表示し、前記第１のオブジェクト判定サブモジュールをトリガーするための前記第１の更新サブモジュールと、を含み、
或いは、
前記第２の表示領域のサブ領域は横方向に配置され、
前記オブジェクト表示サブユニットは、
前記配列の順番に従って、各オブジェクトを左から右に第２の表示領域のサブ領域に表示するための第２の表示サブモジュールと、
前記オブジェクトには、サブ領域に表示されていないオブジェクトが存在しているか否かを判定し、存在していると判定した場合に第２の更新サブモジュールをトリガーするための第２のオブジェクト判定サブモジュールと、
最も左方のサブ領域における第２のオブジェクトをクリアし、前記第２のオブジェクト以外の既に表示されている他のオブジェクトを、その自身が位置しているサブ領域の左方のサブ領域に順に移動させ、サブ領域に表示されていない一つのオブジェクトを最も右方のサブ領域に表示し、前記第２のオブジェクト判定サブモジュールをトリガーするための前記第２の更新サブモジュールと、を含む
ことを特徴とする請求項１４に記載のオブジェクトの表示装置。
【請求項１６】
前記オブジェクトの表示装置は、さらに、
抽出されたオブジェクトを第２の表示領域のサブ領域に表示した後に、選別されるオブジェクトの目標タイプを含んでいるオブジェクト選別命令を取得するための選別命令取得モジュールと、
前記オブジェクト選別命令に基づいて、前記第２の表示領域に現在表示されているオブジェクトから、前記目標タイプ以外のタイプに属するオブジェクトを確定するためのオブジェクト確定モジュールと、
前記第２の表示領域から前記目標タイプ以外のタイプに属するオブジェクトをクリアするためのクリアモジュールと、を含む
ことを特徴とする請求項１０に記載のオブジェクトの表示装置。
【請求項１７】
前記オブジェクトの表示装置は、さらに、
抽出されたオブジェクトを第２の表示領域のサブ領域に表示した後に、第３のオブジェクトに対するビデオ再生命令を取得するためのビデオ再生命令取得モジュールと、
前記第３のオブジェクトに対応する目標ビデオデータをサーチするためのサーチモジュールであって、前記目標ビデオデータには前記第３のオブジェクトが位置している目標ビデオフレームを含んでいるサーチモジュールと、
サーチされた目標ビデオデータを第３の表示領域に再生させるための再生モジュールと、を含む
ことを特徴とする請求項１０に記載のオブジェクトの表示装置。
【請求項１８】
前記オブジェクトの表示装置は、さらに、
抽出されたオブジェクトを第２の表示領域のサブ領域に表示した後に、前記オブジェクトに対応するビデオキャプチャデバイスのデバイス情報を確定するためのデバイス情報確定モジュールと、
前記第２の表示領域におけるオブジェクトが表示されているサブ領域に、前記オブジェクトに対応するデバイス情報を表示するためのデバイス情報表示モジュールと、を含む
ことを特徴とする請求項１０に記載のオブジェクトの表示装置。
【請求項１９】
プロセッサと、通信インタフェースと、メモリと、通信バスとを備える電子デバイスであって、
プロセッサと、通信インタフェースと、メモリは通信バスによって互いに通信し、
メモリは、コンピュータプログラムを記憶するように構成され、
プロセッサは、メモリに記憶されているプログラムを実行することによって、請求項１〜請求項９のいずれか一項に記載のオブジェクトの表示方法を実現するように構成される
ことを特徴とする電子デバイス。
【請求項２０】
コンピュータ読み取り可能な記録媒体であって、
前記記録媒体にコンピュータプログラムが記録されており、前記コンピュータプログラムがプロセッサに実行されることによって、請求項１〜請求項９のいずれか一項に記載のオブジェクトの表示方法を実現するように構成される
ことを特徴とする記録媒体。
【発明の詳細な説明】
【技術分野】
【０００１】
[関連出願の相互参照]
本願は、２０１７年０１月２０日に中国特許庁に提出された、出願番号が２０１７１００４２３０２．９であり、発明の名称が「オブジェクトの表示方法及びオブジェクトの表示装置」である中国特許出願に基づき優先権を主張する。ここで、該出願の全ての内容をここに援用する。
【０００２】
本願は画像表示技術の分野に関し、特にオブジェクトの表示方法及びオブジェクトの表示装置に関する。
【背景技術】
【０００３】
現在、複数のビデオキャプチャデバイスから複数のビデオデータを取得し、表示領域に表示させることで、ユーザが各ビデオデータを視聴するようにすることは一般的である。
【０００４】
取得されたビデオデータに対応するシナリオの特性に基づいて、ユーザは、通常、ナンバープレートや、顔などの特定タイプのオブジェクトにより注目する。ユーザが注目するオブジェクトは、一般的に画像内の一部であるため、視聴時に不便になる。特に画像の内容が比較的に複雑である場合に、不便さがより顕著になる。したがって、どのようにユーザの視聴の利便性を向上させるかは、差し迫った問題である。
【発明の概要】
【発明が解決しようとする課題】
【０００５】
本願は、ユーザに注目されているオブジェクトを目立つように表示させることで、ユーザの視聴の利便性を高めることができるオブジェクトの表示方法およびオブジェクトの表示装置を提供することを目的とする。具体的に、以下の通りである。
【課題を解決するための手段】
【０００６】
電子デバイスに適用されるオブジェクトの表示方法であって、
第１の表示領域に表示されるための複数のビデオデータに、予め設定されるタイプのオブジェクトを含む目標ビデオフレームが存在しているか否かを監視するステップと、
存在していると監視されたときに、現在監視された目標ビデオフレームから予め設定されるタイプのオブジェクトを抽出するステップと、
抽出されたオブジェクトを前記第１の表示領域と異なる第２の表示領域のサブ領域に表示するステップと、を含み、
１つのオブジェクトが１つのサブ領域に対応し、
前記現在監視された目標ビデオフレームから前記予め設定されるタイプのオブジェクトを抽出するステップは、
現在監視された目標ビデオフレームから、参照オブジェクトと異なる前記予め設定されるタイプのオブジェクトを抽出し、前記参照オブジェクトが現在監視された目標ビデオフレーム以前の目標ビデオフレームから抽出された前記予め設定されるタイプのオブジェクトであるステップを含む、オブジェクトの表示方法。
【０００７】
好ましくは、前記第１の表示領域に表示されるための複数のビデオデータに、予め設定されるタイプのオブジェクトを含む目標ビデオフレームが存在しているか否かを監視するステップは、
第１の表示領域に表示されるための複数のビデオデータにおけるビデオフレームに対して、予め設定されるタイプのオブジェクト検出を行うステップと、
オブジェクト検出の検出結果に基づいて、予め設定されるタイプのオブジェクトを含む目標ビデオフレームが存在しているか否かを確定するステップと、を含む。
【０００８】
好ましくは、本願の実施形態により提供されるオブジェクトの表示方法は、前記第１の表示領域に表示されるための複数のビデオデータにおけるビデオフレームに対して、予め設定されるタイプのオブジェクト検出を行う前に、さらに、
前記複数のビデオデータに対応するビデオキャプチャデバイスが予め設定されるタイプのオブジェクト検出をサポートするか否かを判定するステップと、
判定結果が否定であると、第１の表示領域に表示されるための複数のビデオデータにおけるビデオフレームに対して、予め設定されるタイプのオブジェクト検出を継続するステップと、を含む。
【０００９】
好ましくは、本願の実施形態により提供されるオブジェクトの表示方法は、さらに、
判定結果が肯定であると、前記ビデオキャプチャデバイスにより第１の表示領域に表示されるための複数のビデオデータにおけるビデオフレームに対して予め設定されるタイプのオブジェクト検出を行った検出結果に基づいて、予め設定されるタイプのオブジェクトを含む目標ビデオフレームが存在しているか否かを確定するステップを含む。
【００１１】
好ましくは、前記抽出されたオブジェクトを第２の表示領域のサブ領域に表示するステップは、
予め設定される規則に従って、抽出されたオブジェクトをソートし、前記オブジェクトの配列の順番を取得するステップと、
前記配列の順番に従って、前記オブジェクトを第２の表示領域のサブ領域に表示するステップと、を含む。
【００１２】
好ましくは、前記第２の表示領域のサブ領域は縦方向に配置され、前記の前記配列の順番に従って、前記オブジェクトを第２の表示領域のサブ領域に表示するステップは、
前記配列の順番に従って、各オブジェクトを下から上に第２の表示領域のサブ領域に表示するステップと、
前記オブジェクトにはサブ領域に表示されていないオブジェクトが存在しているか否かを判定するステップと、
存在していると判定すると、最も下方のサブ領域における第１のオブジェクトをクリアし、前記第１のオブジェクト以外の既に表示されている他のオブジェクトを、その自身が位置しているサブ領域の下方のサブ領域に順に移動させ、サブ領域に表示されていない一つのオブジェクトを最も上方のサブ領域に表示し、前記の前記オブジェクトにはサブ領域に表示されていないオブジェクトが存在しているか否かを判定するステップに戻すステップと、を含み、
或いは、
前記第２の表示領域のサブ領域は横方向に配置され、前記の前記配列の順番に従って、前記オブジェクトを第２の表示領域のサブ領域に表示するステップは、
前記配列の順番に従って、各オブジェクトを左から右に第２の表示領域のサブ領域に表示するステップと、
前記オブジェクトにはサブ領域に表示されていないオブジェクトが存在しているか否かを判定するステップと、
存在していると判定すると、最も左方のサブ領域における第２のオブジェクトをクリアし、前記第２のオブジェクト以外の既に表示されている他のオブジェクトを、その自身が位置しているサブ領域の左方のサブ領域に順に移動させ、サブ領域に表示されていない一つのオブジェクトを、最も右方のサブ領域に表示し、前記の前記オブジェクトにサブ領域に表示されていないオブジェクトが存在しているか否かを判定するステップに戻すステップと、を含む。
【００１３】
好ましくは、本願の実施形態により提供されるオブジェクトの表示方法は、抽出されたオブジェクトを第２の表示領域のサブ領域に表示した後に、さらに、
オブジェクト選別命令を取得し、前記オブジェクト選別命令には選別されるオブジェクトの目標タイプを含んでいるステップと、
前記オブジェクト選別命令に基づいて、前記第２の表示領域に現在表示されているオブジェクトから、前記目標タイプ以外のタイプに属するオブジェクトを確定するステップと、
前記第２の表示領域から前記目標タイプ以外のタイプに属するオブジェクトをクリアするステップと、を含む。
【００１４】
好ましくは、本願の実施形態により提供されるオブジェクトの表示方法は、抽出されたオブジェクトを第２の表示領域のサブ領域に表示した後に、さらに、
第３のオブジェクトに対するビデオ再生命令を取得するステップと、
前記第３のオブジェクトに対応する目標ビデオデータをサーチし、前記目標ビデオデータには前記第３のオブジェクトが位置している目標ビデオフレームを含んでいるステップと、
サーチされた目標ビデオデータを第３の表示領域に再生させるステップと、を含む。
【００１５】
好ましくは、本願の実施形態により提供されるオブジェクトの表示方法は、抽出されたオブジェクトを第２の表示領域のサブ領域に表示した後に、さらに、
前記オブジェクトに対応するビデオキャプチャデバイスのデバイス情報を確定するステップと、
前記第２の表示領域における前記オブジェクトが表示されているサブ領域に、前記オブジェクトに対応するデバイス情報を表示するステップと、を含む。
【００１６】
電子デバイスに適用されるオブジェクトの表示装置であって、
第１の表示領域に表示されるための複数のビデオデータに、予め設定されるタイプのオブジェクトを含む目標ビデオフレームが存在しているか否かを監視し、存在していると監視された場合に、抽出モジュールをトリガーするための監視モジュールと、
現在監視された目標ビデオフレームから、参照オブジェクトと異なる前記予め設定されるタイプのオブジェクトを抽出し、前記参照オブジェクトが現在監視された目標ビデオフレーム以前の目標ビデオフレームから抽出された前記予め設定されるタイプのオブジェクトである抽出モジュールと、
抽出されたオブジェクトを前記第１の表示領域と異なる第２の表示領域のサブ領域に表示するための表示モジュールと、を含み、１つのオブジェクトが１つのサブ領域に対応することを特徴とするオブジェクトの表示装置。
【００１７】
好ましくは、前記監視モジュールは、
第１の表示領域に表示されるための複数のビデオデータにおけるビデオフレームに対して、予め設定されるタイプのオブジェクト検出を行うオブジェクト検出サブユニットと、
オブジェクト検出の検出結果に基づいて、予め設定されるタイプのオブジェクトを含む目標ビデオフレームが存在しているか否かを確定するための目標ビデオフレーム確定サブユニットと、を含む。
【００１８】
好ましくは、本願の実施形態により提供されるオブジェクトの表示装置は、さらに、
第１の表示領域に表示されるための複数のビデオデータにおけるビデオフレームに対して、予め設定されるタイプのオブジェクト検出を行う前に、前記複数のビデオデータに対応するビデオキャプチャデバイスが予め設定されるタイプのオブジェクト検出をサポートするか否かを判定し、判定結果が否定である場合にオブジェクト検出サブユニットをトリガーするための判定モジュールと、を含む。
【００１９】
好ましくは、本願の実施形態により提供されるオブジェクトの表示装置は、さらに、
判定モジュールによる判定結果が肯定である場合には、前記ビデオキャプチャデバイスにより第１の表示領域に表示されるための複数のビデオデータにおけるビデオフレームに対して予め設定されるタイプのオブジェクト検出を行った検出結果に基づいて、予め設定されるタイプのオブジェクトを含む目標ビデオフレームが存在しているか否かを確定するための確定モジュールを含む。
【００２１】
好ましくは、前記表示モジュールは、
予め設定される規則に従って、抽出されたオブジェクトをソートし、前記オブジェクトの配列の順番を取得する配列順番確定サブユニットと、
前記配列の順番に従って、前記オブジェクトを第２の表示領域のサブ領域に表示するためのオブジェクト表示サブユニットと、を含む。
【００２２】
好ましくは、前記第２の表示領域のサブ領域は縦方向に配置され、前記オブジェクト表示サブユニットは、
前記配列の順番に従って、各オブジェクトを下から上に第２の表示領域のサブ領域に表示するための第１の表示サブモジュールと、
前記オブジェクトには、サブ領域に表示されていないオブジェクトが存在しているか否かを判定し、存在していると判定した場合に第１の更新サブモジュールをトリガーするための第１のオブジェクト判定サブモジュールと、
最も下方のサブ領域における第１のオブジェクトをクリアし、前記第１のオブジェクトの以外の既に表示されている他のオブジェクトを、その自身が位置しているサブ領域の下方のサブ領域に順に移動させ、サブ領域に表示されていない一つのオブジェクトを最も上方のサブ領域に表示し、前記第１のオブジェクト判定サブモジュールをトリガーするための前記第１の更新サブモジュールと、を含み、
或いは、
前記第２の表示領域のサブ領域は横方向に配置され、前記オブジェクト表示サブユニットは、
前記配列の順番に従って、各オブジェクトを左から右に第２の表示領域のサブ領域に表示するための第２の表示サブモジュールと、
前記オブジェクトには、サブ領域に表示されていないオブジェクトが存在しているか否かを判定し、存在していると判定した場合に第２の更新サブモジュールをトリガーするための第２のオブジェクト判定サブモジュールと、
最も左方のサブ領域における第２のオブジェクトをクリアし、前記第２のオブジェクト以外の既に表示されている他のオブジェクトを、その自身が位置しているサブ領域の左方のサブ領域に順に移動させ、サブ領域に表示されていない一つのオブジェクトを最も右方のサブ領域に表示し、前記第２のオブジェクト判定サブモジュールをトリガーするための前記第２の更新サブモジュールと、を含む。
【００２３】
好ましくは、本願の実施形態により提供されるオブジェクトの表示装置は、さらに、
抽出されたオブジェクトを第２の表示領域のサブ領域に表示した後に、選別されるオブジェクトの目標タイプを含んでいるオブジェクト選別命令を取得するための選別命令取得モジュールと、
前記オブジェクト選別命令に基づいて、前記第２の表示領域に現在表示されているオブジェクトから、前記目標タイプ以外のタイプに属するオブジェクトを確定するためのオブジェクト確定モジュールと、
前記第２の表示領域から前記目標タイプ以外のタイプに属するオブジェクトをクリアするクリアモジュールと、を含む。
【００２４】
好ましくは、本願の実施形態により提供されるオブジェクトの表示装置は、さらに、
抽出されたオブジェクトを第２の表示領域のサブ領域に表示した後に、第３のオブジェクトに対するビデオ再生命令を取得するためのビデオ再生命令取得モジュールと、
前記第３のオブジェクトに対応する目標ビデオデータをサーチするためのサーチモジュールであって、前記目標ビデオデータには前記第３のオブジェクトが位置している目標ビデオフレームを含んでいるサーチモジュールと、
サーチされた目標ビデオデータを第３の表示領域に再生させる再生モジュールと、を含む。
【００２５】
好ましくは、本願の実施形態により提供されるオブジェクトの表示装置は、さらに、
抽出されたオブジェクトを第２の表示領域のサブ領域に表示した後に、前記オブジェクトに対応するビデオキャプチャデバイスのデバイス情報を確定するためのデバイス情報確定モジュールと、
前記第２の表示領域におけるオブジェクトが表示されているサブ領域に、前記オブジェクトに対応するデバイス情報を表示するためのデバイス情報表示モジュールと、を含む。
【００２６】
上記目的を達するためには、本願の実施形態は、さらに、プロセッサと、通信インタフェースと、メモリと、通信バスを備える電子デバイスを提供している。そのうち、プロセッサと、通信インタフェースと、メモリは通信バスによって互いに通信する。
メモリはコンピュータプログラムを記憶するように構成される。
プロセッサは、メモリに記憶されているプログラムを実行することによって、
第１の表示領域に表示されるための複数のビデオデータに、予め設定されるタイプのオブジェクトを含む目標ビデオフレームが存在しているか否かを監視するステップと、
存在していると監視されたときに、現在監視された目標ビデオフレームから前記予め設定されるタイプのオブジェクトを抽出するステップと、
抽出されたオブジェクトを前記第１の表示領域と異なる第２の表示領域のサブ領域に表示するステップと、
１つのオブジェクトが１つのサブ領域に対応することと、
を実現するように構成される。
【００２７】
好ましくは、前記第１の表示領域に表示されるための複数のビデオデータに、予め設定されるタイプのオブジェクトを含む目標ビデオフレームが存在しているか否かを監視するステップは、
第１の表示領域に表示されるための複数のビデオデータにおけるビデオフレームに対して、予め設定されるタイプのオブジェクト検出を行うステップと、
オブジェクト検出の検出結果に基づいて、予め設定されるタイプのオブジェクトを含む目標ビデオフレームが存在しているか否かを確定するステップと、を含む。
【００２８】
好ましくは、前記方法は、前記第１の表示領域に表示されるための複数のビデオデータにおけるビデオフレームに対して、予め設定されるタイプのオブジェクト検出を行う前に、更に、
前記複数のビデオデータに対応するビデオキャプチャデバイスが予め設定されるタイプのオブジェクト検出をサポートするか否かを判定するステップと、
判定結果が否定であると、第１の表示領域に表示されるための複数のビデオデータにおけるビデオフレームに対して、予め設定されるタイプのオブジェクト検出を継続するステップと、を含む。
【００２９】
好ましくは、前記方法は、さらに、
判定結果が肯定であると、前記ビデオキャプチャデバイスにより第１の表示領域に表示されるための複数のビデオデータにおけるビデオフレームに対して予め設定されるタイプのオブジェクト検出を行った検出結果に基づいて、予め設定されるタイプのオブジェクトを含む目標ビデオフレームが存在しているか否かを確定するステップを含む。
【００３０】
好ましくは、前記現在監視された目標ビデオフレームから前記予め設定されるタイプのオブジェクトを抽出するステップは、
現在監視された目標ビデオフレームから、参照オブジェクトと異なる前記予め設定されるタイプのオブジェクトを抽出し、前記参照オブジェクトが現在監視された目標ビデオフレーム以前の目標ビデオフレームから抽出された前記予め設定されるタイプのオブジェクトである。
【００３１】
好ましくは、前記抽出されたオブジェクトを第２の表示領域のサブ領域に表示するステップは、
予め設定される規則に従って、抽出されたオブジェクトをソートし、前記オブジェクトの配列の順番を取得するステップと、
前記配列の順番に従って、前記オブジェクトを第２の表示領域のサブ領域に表示するステップと、を含む。
【００３２】
好ましくは、前記第２の表示領域のサブ領域は縦方向に配置され、前記の前記配列の順番に従って、前記オブジェクトを第２の表示領域のサブ領域に表示するステップは、
前記配列の順番に従って、各オブジェクトを下から上に第２の表示領域のサブ領域に表示するステップと、
前記オブジェクトにはサブ領域に表示されていないオブジェクトが存在しているか否かを判定するステップと、
存在していると判定すると、最も下方のサブ領域における第１のオブジェクトをクリアし、前記第１のオブジェクト以外の既に表示されている他のオブジェクトを、その自身が位置しているサブ領域の下方のサブ領域に順に移動させ、サブ領域に表示されていない１つのオブジェクトを最も上方のサブ領域に表示し、前記の前記オブジェクトにはサブ領域に表示されていないオブジェクトが存在しているか否かを判定するステップに戻すステップと、を含み、
或いは、
前記第２の表示領域のサブ領域は横方向に配置され、前記の前記配列の順番に従って、前記オブジェクトを第２の表示領域のサブ領域に表示するステップは、
前記配列の順番に従って、各オブジェクトを左から右に第２の表示領域のサブ領域に表示するステップと、
前記オブジェクトにはサブ領域に表示されていないオブジェクトが存在しているか否かを判定するステップと、
存在していると判定すると、最も左方のサブ領域における第２のオブジェクトをクリアし、前記第２のオブジェクト以外の既に表示されている他のオブジェクトを、その自身が位置しているサブ領域の左方のサブ領域に順に移動させ、サブ領域に表示されていない一つのオブジェクトを最も右方のサブ領域に表示し、前記の前記オブジェクトにはサブ領域に表示されていないオブジェクトが存在しているか否かを判定するステップに戻すステップと、を含む。
【００３３】
好ましくは、前記方法は、抽出されたオブジェクトを第２の表示領域のサブ領域に表示した後に、さらに、
オブジェクト選別命令を取得し、前記オブジェクト選別命令には選別されるオブジェクトの目標タイプを含んでいるステップと、
前記オブジェクト選別命令に基づいて、前記第２の表示領域に現在表示されているオブジェクトから、前記目標タイプ以外のタイプに属するオブジェクトを確定するステップと、
前記第２の表示領域から前記目標タイプ以外のタイプに属するオブジェクトをクリアするステップと、を含む。
【００３４】
好ましくは、前記方法は、抽出されたオブジェクトを第２の表示領域のサブ領域に表示した後に、さらに、
第３のオブジェクトに対するビデオ再生命令を取得するステップと、
前記第３のオブジェクトに対応する目標ビデオデータをサーチし、前記目標ビデオデータには前記第３のオブジェクトが位置している目標ビデオフレームを含んでいるステップと、
サーチされた目標ビデオデータを第３の表示領域に再生させるステップと、を含む。
【００３５】
好ましくは、前記方法は、抽出されたオブジェクトを第２の表示領域のサブ領域に表示した後に、さらに、
前記オブジェクトに対応するビデオキャプチャデバイスのデバイス情報を確定するステップと、
前記第２の表示領域におけるオブジェクトが表示されているサブ領域に、前記オブジェクトに対応するデバイス情報を表示するステップと、を含む。
【００３６】
上記目的を達するためには、本願の実施形態は、さらに、コンピュータ読み取り可能な記録媒体を提供している。前記記録媒体にコンピュータプログラムが記録されており、前記コンピュータプログラムがプロセッサに実行されることによって、
第１の表示領域に表示されるための複数のビデオデータに、予め設定されるタイプのオブジェクトを含む目標ビデオフレームが存在しているか否かを監視するステップと、
存在していると監視されたときに、現在監視された目標ビデオフレームから前記予め設定されるタイプのオブジェクトを抽出するステップと、
抽出されたオブジェクトを前記第１の表示領域と異なる第２の表示領域のサブ領域に表示するステップと、
１つのオブジェクトが１つのサブ領域に対応することと、を実現する。
【００３７】
好ましくは、前記第１の表示領域に表示されるための複数のビデオデータに、予め設定されるタイプのオブジェクトを含む目標ビデオフレームが存在しているか否かを監視するステップは、
第１の表示領域に表示されるための複数のビデオデータにおけるビデオフレームに対して、予め設定されるタイプのオブジェクト検出を行うステップと、
オブジェクト検出の検出結果に基づいて、予め設定されるタイプのオブジェクトを含む目標ビデオフレームが存在しているか否かを確定するステップと、を含む。
【００３８】
好ましくは、前記方法は、前記第１の表示領域に表示されるための複数のビデオデータにおけるビデオフレームに対して、予め設定されるタイプのオブジェクト検出を行う前に、さらに、
前記複数のビデオデータに対応するビデオキャプチャデバイスが予め設定されるタイプのオブジェクト検出をサポートするか否かを判定するステップと、
判定結果が否定であると、第１の表示領域に表示されるための複数のビデオデータにおけるビデオフレームに対して、予め設定されるタイプのオブジェクト検出を継続するステップと、を含む。
【００３９】
好ましくは、前記方法は、さらに、
判定結果が肯定であると、前記ビデオキャプチャデバイスにより第１の表示領域に表示されるための複数のビデオデータにおけるビデオフレームに対して予め設定されるタイプのオブジェクト検出を行った検出結果に基づいて、予め設定されるタイプのオブジェクトを含む目標ビデオフレームが存在しているか否かを確定するステップを含む。
【００４０】
好ましくは、前記現在監視された目標ビデオフレームから前記予め設定されるタイプのオブジェクトを抽出するステップは、
現在監視された目標ビデオフレームから、参照オブジェクトと異なる前記予め設定されるタイプのオブジェクトを抽出し、前記参照オブジェクトが現在監視された目標ビデオフレーム以前の目標ビデオフレームから抽出された前記予め設定されるタイプのオブジェクトである。
【００４１】
好ましくは、前記抽出されたオブジェクトを第２の表示領域のサブ領域に表示するステップは、
予め設定される規則に従って、抽出されたオブジェクトをソートし、前記オブジェクトの配列の順番を取得するステップと、
前記配列の順番に従って、前記オブジェクトを第２の表示領域のサブ領域に表示するステップと、を含む。
【００４２】
好ましくは、前記第２の表示領域のサブ領域は縦方向に配置され、前記の前記配列の順番に従って、前記オブジェクトを第２の表示領域のサブ領域に表示するステップは、
前記配列の順番に従って、各オブジェクトを下から上に第２の表示領域のサブ領域に表示するステップと、
前記オブジェクトにはサブ領域に表示されていないオブジェクトが存在しているか否かを判定するステップと、
存在していると判定すると、最も下方のサブ領域における第１のオブジェクトをクリアし、前記第１のオブジェクト以外の既に表示されている他のオブジェクトを、その自身が位置しているサブ領域の下方のサブ領域に順に移動させ、サブ領域に表示されていない１つのオブジェクトを最も上方のサブ領域に表示し、前記の前記オブジェクトにはサブ領域に表示されていないオブジェクトが存在しているか否かを判定するステップに戻すステップと、を含み、
或いは、
前記第２の表示領域のサブ領域は横方向に配置され、前記の前記配列の順番に従って、前記オブジェクトを第２の表示領域のサブ領域に表示するステップは、
前記配列の順番に従って、各オブジェクトを左から右に第２の表示領域のサブ領域に表示するステップと、
前記オブジェクトにはサブ領域に表示されていないオブジェクトが存在しているか否かを判定するステップと、
存在していると判定すると、最も左方のサブ領域における第２のオブジェクトをクリアし、前記第２のオブジェクト以外の既に表示されている他のオブジェクトを、その自身が位置しているサブ領域の左方のサブ領域に順に移動させ、サブ領域に表示されていない一つのオブジェクトを最も右方のサブ領域に表示し、前記の前記オブジェクトにはサブ領域に表示されていないオブジェクトが存在しているか否かを判定するステップに戻すステップと、を含む。
【００４３】
好ましくは、前記方法は、抽出されたオブジェクトを第２の表示領域のサブ領域に表示した後に、さらに、
オブジェクト選別命令を取得し、前記オブジェクト選別命令には選別されるオブジェクトの目標タイプを含んでいるステップと、
前記オブジェクト選別命令に基づいて、前記第２の表示領域に現在表示されているオブジェクトから、前記目標タイプ以外のタイプに属するオブジェクトを確定するステップと、
前記第２の表示領域から前記目標タイプ以外のタイプに属するオブジェクトをクリアするステップと、を含む。
【００４４】
好ましくは、前記方法は、抽出されたオブジェクトを第２の表示領域のサブ領域に表示した後に、さらに、
第３のオブジェクトに対するビデオ再生命令を取得するステップと、
前記第３のオブジェクトに対応する目標ビデオデータをサーチし、前記目標ビデオデータには前記第３のオブジェクトが位置している目標ビデオフレームを含んでいるステップと、
サーチされた目標ビデオデータを第３の表示領域に再生させるステップと、を含む。
【００４５】
好ましくは、前記方法は、抽出されたオブジェクトを第２の表示領域のサブ領域に表示した後に、さらに、
前記オブジェクトに対応するビデオキャプチャデバイスのデバイス情報を確定するステップと、
前記第２の表示領域におけるオブジェクトが表示されているサブ領域に、前記オブジェクトに対応するデバイス情報を表示するステップと、を含む。
【００４６】
本願の実施形態では、第１の表示領域に表示されるための複数のビデオデータに、予め設定されるタイプのオブジェクトを含む目標ビデオフレームが存在しているか否かを監視し、肯定である場合には、現在監視された目標ビデオフレームから予め設定されるタイプのオブジェクトを抽出し、抽出されたオブジェクトを第２の表示領域のサブ領域に表示し、これにより、ユーザが注目しているオブジェクトを画面から抽出して表示することで、ユーザの視聴時の利便性を向上させることができる。
【図面の簡単な説明】
【００４７】
本願の実施形態および先行技術の技術案をより明確に説明するために、以下に実施形態および先行技術に使用される図面を簡単に説明するが、明らかに、以下に説明される図面は単に本願のいくつかの実施形態によるものに過ぎなく、当業者にとっては創造的な労力を行わない場合は、これらの図面に基づいて他の図面を得ることもできる。
【００４８】
【図１】図１は本願の一実施形態によるオブジェクトの表示方法の模式的な第１のフローチャートである。
【図２】図２は本願の一実施形態による目標ビデオフレームを確定するための模式的なフローチャートである。
【図３】図３は本願の一実施形態によるオブジェクトの表示時の表示インタフェースの模式図である。
【図４】図４は本願の一実施形態による抽出されたオブジェクトを第２の表示領域のサブ領域に表示する模式的なフローチャートである。
【図５】（ａ）は本願の一実施形態による各オブジェクトを下から上に第２の表示領域のサブ領域に表示する模式図である。（ｂ）は本願の一実施形態によるナンバープレートＢ６が第２の表示領域のサブ領域に更新される模式図である。（ｃ）は本願の一実施形態によるナンバープレートＢ７が第２の表示領域のサブ領域に更新される模式図である。（ｄ）は本願の一実施形態によるナンバープレートＢ５がユーザに選択される場合のオブジェクトの更新の模式図である。
【図６】図６は本願の一実施形態によるオブジェクトの表示方法の模式的な第２のフローチャートである。
【図７】図７は本願の一実施形態によるオブジェクトの表示方法の模式的な第３のフローチャートである。
【図８】図８は本願の一実施形態による目標ビデオデータを再生するときの表示インタフェースの模式図である。
【図９】図９は本願の一実施形態によるオブジェクトの表示方法の模式的な第４のフローチャートである。
【図１０】図１０は本願の一実施形態によるオブジェクトの表示装置の模式的構成図。
【図１１】図１１は本願の一実施形態による電子デバイスの模式的構成図である。
【発明を実施するための形態】
【００４９】
本願の目的、技術案、および利点をより明確にするために、以下、図面を参照ながら、実施形態により本願を詳細に説明する。無論、記載される実施形態はただ本願に係る実施形態の一部だけであり、実施形態の全てではない。本願の実施形態に基づいて、当業者が進歩性のある労働を必要とせずに得られる他の実施形態は何れも本願の請求の範囲に入る。
【００５０】
従来技術の課題を解決するために、本願の実施形態はオブジェクトの表示方法及びオブジェクトの表示装置を提供する。
【００５１】
以下、先ず本願の実施形態に係るオブジェクトの表示方法を説明する。
なお、本願の実施形態により提供されるオブジェクトの表示方法はデスクトップコンピュータや、タブレットコンピュータなどの電子デバイスに適用される。それらは、全て実現可能である。
【００５２】
図１に示すように、本願の実施形態により提供されるオブジェクトの表示方法は、電子デバイスに適用され、以下のステップを含んでよい。
Ｓ１０１において、第１の表示領域に表示されるための複数のビデオデータに、予め設定されるタイプのオブジェクトを含む目標ビデオフレームが存在しているか否かを監視し、存在していると監視されると、ステップＳ１０２を実行する一方、存在しないと監視されると、任意の操作を行わない。
ユーザに注目されるビデオデータ画像におけるオブジェクトを取得するために、第１の表示領域に表示されるための複数のビデオデータに、予め設定されるタイプのオブジェクトを含む目標ビデオフレームが存在しているか否かを監視する。そのうち、第１の表示領域に表示されるための複数のビデオデータは、ビデオキャプチャデバイスにより収集されたビデオデータであってもよく、ビデオキャプチャデバイスによりリアルタイムで収集されるビデオデータであってもよい。そして、各ビデオキャプチャデバイスはそれぞれ一つのビデオデータに対応する。
上記の第１の表示領域に表示されるための複数のビデオデータに、予め設定されるタイプのオブジェクトを含む目標ビデオフレームが存在しているか否かを監視することは、オブジェクト検出の方式によって、複数のビデオデータに予め設定されるタイプのオブジェクトを含む目標ビデオフレームが存在しているかを確定することでもよい。図２を参照して、Ｓ１０１は、以下のステップを含んでよい。
【００５３】
Ｓ１０１１において、第１の表示領域に表示されるための複数のビデオデータにおけるビデオフレームに対して、予め設定されるタイプのオブジェクト検出を行う。
【００５４】
Ｓ１０１２において、オブジェクト検出の結果に基づいて、予め設定されるタイプのオブジェクトを含む目標ビデオフレームが存在しているか否かを確定する。
【００５５】
オブジェクトがビデオデータのビデオフレーム内に存在しているので、オブジェクト検出の方式によって、第１の表示領域に表示されるための複数のビデオデータにおけるビデオフレームに対して予め設定されるタイプのオブジェクト検出を行う。そのうち、該予め設定されるタイプは顔、ナンバープレートまたは行動オブジェクトの少なくとも１つであってもよい。この行動オブジェクトは動的なオブジェクトである。ビデオフレームに対してオブジェクト検出を行う技術は、従来のオブジェクト検出の技術のいずれかであってもよく、ここでその詳細な説明を省略する。
オブジェクト検出を行う後に、検出結果に応じて、予め設定されるタイプのオブジェクトを含む目標ビデオフレームが存在しているか否かを確定する。
現在では、ビデオキャプチャデバイスは、例えばネットワークカメラや、アナログカメラなどの様々なタイプのものがある。そのうち、一部のタイプのビデオキャプチャデバイスは予め設定されるタイプのオブジェクト検出をサポートするが、もう一部のタイプのビデオキャプチャデバイスは予め設定されるタイプのオブジェクト検出をサポートしない。したがって、本願の実施形態により提供されるオブジェクトの表示方法は、ステップＳ１０１１の前に、さらに、
複数のビデオデータに対応するビデオキャプチャデバイスが予め設定されるタイプのオブジェクト検出をサポートするか否かを判定し、判定結果が否定であると、ステップＳ１０１１を継続する一方、判定結果が肯定であると、ビデオキャプチャデバイスにより第１の表示領域に表示されるための複数のビデオデータにおけるビデオフレームに対して予め設定されるタイプのオブジェクト検出を行った検出結果に基づいて、予め設定されるタイプのオブジェクトを含む目標ビデオフレームが存在しているか否かを確定するステップを含む。
ビデオキャプチャデバイスが予め設定されるタイプのオブジェクト検出をサポートしないと、電子デバイスにより、第１の表示領域に表示されるための複数のビデオデータにおけるビデオフレームに対して予め設定されるタイプのオブジェクト検出を行い、オブジェクト検出の検出結果に基づいて、予め設定されるタイプのオブジェクトを含む目標ビデオフレームが存在しているか否かを確定する。
ビデオキャプチャデバイスが予め設定されるタイプのオブジェクト検出をサポートすると、ビデオキャプチャデバイスにより第１の表示領域に表示されるための複数のビデオデータにおけるビデオフレームに対して予め設定されるタイプのオブジェクト検出を行い、オブジェクト検出の検出結果を電子デバイスに送信する。電子デバイスは該検出結果を受信し、該検出結果に基づいて、予め設定されるタイプのオブジェクトを含む目標ビデオフレームが存在しているか否かを確定する。
【００５６】
Ｓ１０２において、現在監視された目標ビデオフレームから予め設定されるタイプのオブジェクトを抽出する。
【００５７】
予め設定されるタイプのオブジェクトを含む目標ビデオフレームが存在していると監視された場合は、現在監視された目標ビデオフレームから予め設定されるタイプのオブジェクトを抽出する。そのうち、目標ビデオフレームからオブジェクトを抽出する技術は従来の抽出技術のいずれかであってもよく、ここでその詳細な説明を省略する。
ビデオデータにおいて連続したいくつかの目標ビデオフレームにおける予め設定されるタイプのオブジェクトは、一般的に同じである。例えば、予め設定されるタイプが顔であり、あるビデオデータにおける第１のフレームにオブジェクトＡの顔Ａ１が存在しているとすると、オブジェクトＡがビデオキャプチャによる監視画面外に移動していない場合には、該顔Ａ１が依然として第２のフレームに存在している。これによって、現在監視された目標ビデオフレームから予め設定されるタイプのオブジェクトを抽出すると、二つの顔Ａ１が抽出されることになる。
したがって、本願の一実施形態では、重複なオブジェクトの表示を回避するために、上記の現在監視された目標ビデオフレームから予め設定されるタイプのオブジェクトを抽出することは、
現在監視された目標ビデオフレームから、参照オブジェクトと異なる予め設定されるタイプのオブジェクトを抽出することを含んでよい。
これにより、現在監視された目標ビデオフレームから、参照オブジェクトと異なる予め設定されるタイプのオブジェクトのみを抽出する。そのうち、該参照オブジェクトは、現在監視された目標ビデオフレーム以前の目標ビデオフレームから抽出された予め設定されるタイプのオブジェクトである。
例えば、参照オブジェクトがナンバープレートＢ１であり、現在監視された目標ビデオフレームにナンバープレートＢ１とナンバープレートＢ２とが存在しているとすると、ナンバープレートＢ２を抽出する。
【００５８】
Ｓ１０３において、抽出されたオブジェクトを第２の表示領域のサブ領域に表示する。
現在監視された目標ビデオフレームから予め設定されるタイプのオブジェクトを抽出した後に、予め設定されるタイプに対応するオブジェクト表示機能の起動を行うか否かを判定し、起動を行ったと、抽出されたオブジェクトを第２の表示領域のサブ領域に表示する一方、起動を行わないと、任意の処理を実行しない。そのうち、１つのオブジェクトが１つのサブ領域に対応する。図３に示すように、図３はオブジェクトの表示時の表示インタフェースの模式図である。図３からわかるように、左側は第２の表示領域であり、右側は第１の表示領域であり、第２の表示領域は第１の表示領域と異なる。
【００５９】
本願の一実施形態では、上記の抽出されたオブジェクトを第２の表示領域のサブ領域に表示することは、オブジェクトを順番に第２の表示領域のサブ領域に表示することである。図４を参照すると、Ｓ１０３は、以下のステップを含んでよい。
Ｓ１０３１において、予め設定される規則に従って、抽出されたオブジェクトをソートし、オブジェクトの配列の順番を取得する。
【００６０】
そのうち、該予め設定される規則は、様々な種類がある。以下、詳細に説明する。
第１の種類の予め設定される規則として、オブジェクトが抽出される時間に従って順番に配列する規則である。
たとえば、抽出されたオブジェクトがそれぞれナンバープレートＢ１と、ナンバープレートＢ２とナンバープレートＢ３とであり、抽出された時間がそれぞれ９：００と、９：０１と９：０２であるとすると、予め設定される規則に従って、抽出されたオブジェクトをソートすることで、ナンバープレートＢ１と、ナンバープレートＢ２と、ナンバープレートＢ３となるオブジェクトの配列の順番を取得する。
第２の種類の予め設定される規則として、オブジェクトに対応するタイプの優先順位に従って配列する規則である。
たとえば、抽出されたオブジェクトがそれぞれナンバープレートＢ１と、ナンバープレートＢ２と、顔Ａ１とであり、オブジェクトに対応するタイプの優先順位について、顔の優先順位がナンバープレートの優先順位より高いであるとすると、予め設定される規則に従って、抽出されたオブジェクトをソートすることで、顔Ａ１と、ナンバープレートＢ１と、ナンバープレートＢ２となるオブジェクトの配列の順番、または顔Ａ１と、ナンバープレートＢ２と、ナンバープレートＢ１となるオブジェクトの配列の順番を取得する。
【００６１】
Ｓ１０３２において、配列の順番に従って、オブジェクトを第２の表示領域のサブ領域に表示する。
【００６２】
オブジェクトの配列の順番を取得した後に、配列の順番に従って、オブジェクトを第２の表示領域のサブ領域に表示する。
第２の表示領域のサブ領域の配置は様々な方式があるので、配列の順番に従ってオブジェクトを第２の表示領域のサブ領域に表示する方式も様々なものになる。以下、詳細に説明する。
第１の方式として、第２の表示領域のサブ領域は縦方向に配置され、配列の順番に従って、各オブジェクトを下から上に第２の表示領域のサブ領域に表示する。
オブジェクトの数が多いと、全てのオブジェクトを第２の表示領域のサブ領域に表示することができない場合がある。従って、配列の順番に従って、各オブジェクトを下から上に第２の表示領域のサブ領域に表示した後に、オブジェクトにはサブ領域に表示されていないオブジェクトが存在するか否かを判定する必要がある。
判定結果が肯定であると、サブ領域に表示されていないオブジェクトを第２の表示領域のサブ領域に表示するために、更新の方式によって、サブ領域に表示されていないオブジェクトを第２の表示領域に表示し、オブジェクトには、サブ領域に表示されていないオブジェクトが存在するか否かを判定し続く。前記更新の方式は、具体的に、
最も下方のサブ領域における第１のオブジェクトをクリアし、前記第１のオブジェクト以外の既に表示されている他のオブジェクトを、その自身が位置しているサブ領域の下方のサブ領域に順に移動させ、サブ領域に表示されていない一つのオブジェクトを最も上方のサブ領域に表示する。
もちろん、第２の表示領域のサブ領域が縦方向に配置されるときに、配列の順番に従って、各オブジェクトを上から下に第２の表示領域のサブ領域に表示してもよい。これは実現可能である。ここでは限定されない。
【００６３】
例えば、オブジェクトの配列の順番は、ナンバープレートＢ１、ナンバープレートＢ２、ナンバープレートＢ３、ナンバープレートＢ４、ナンバープレートＢ５、ナンバープレートＢ６、ナンバープレートＢ７であり、第２の表示領域のサブ領域が縦方向に配置されている。
図５（ａ）に示すように、配列の順番に従って、各オブジェクトを下から上に第２の表示領域のサブ領域に表示し、ナンバープレートＢ１、ナンバープレートＢ２、ナンバープレートＢ３、ナンバープレートＢ４、ナンバープレートＢ５、ナンバープレートＢ６、ナンバープレートＢ７には、複数のサブ領域に表示されていないオブジェクトであるナンバープレートＢ６と、ナンバープレートＢ７が存在していると判定する。
図５（ｂ）に示すように、最も下方のサブ領域における第１のオブジェクトであるナンバープレートＢ１をクリアし、前記第１のオブジェクトであるナンバープレートＢ１以外の既に表示されている他のオブジェクトであるナンバープレートＢ２、ナンバープレートＢ３、ナンバープレートＢ４、ナンバープレートＢ５を、その自身が位置しているサブ領域の下方のサブ領域に順に移動させ、サブ領域に表示されていない一つのオブジェクトであるナンバープレートＢ６を最も上方のサブ領域に表示する。
複数のサブ領域に表示されていない第１のオブジェクトであるナンバープレートＢ７が存在していると判定し続く。
図５（ｃ）に示すように、最も下方のサブ領域における第１のオブジェクトであるナンバープレートＢ２をクリアし、前記第１のオブジェクトであるナンバープレートＢ２以外の既に表示されている他のオブジェクトであるナンバープレートＢ３、ナンバープレートＢ４、ナンバープレートＢ５、ナンバープレートＢ６を、その自身が位置しているサブ領域の下方のサブ領域に順に移動させ、サブ領域に表示されていない一つのオブジェクトであるナンバープレートＢ７を最も上方のサブ領域に表示する。
【００６４】
第２の方式として、第２の表示領域のサブ領域は横方向に配置され、配列の順番に従って、各オブジェクトを左から右に第２の表示領域のサブ領域に表示する。
オブジェクトの数が多いと、全てのオブジェクトを第２の表示領域のサブ領域に表示することができない場合がある。従って、配列の順番に従って、各オブジェクトを左から右に第２の表示領域のサブ領域に表示した後に、オブジェクトにはサブ領域に表示されていないオブジェクトが存在するか否かを判定する必要がある。
判定結果が肯定であると、サブ領域に表示されていないオブジェクトを第２の表示領域のサブ領域に表示するために、更新の方式によって、サブ領域に表示されていないオブジェクトを第２の表示領域に表示し、オブジェクトにはサブ領域に表示されていないオブジェクトが存在するか否かを判定し続く。そのうち、前記更新の方式は、具体的に、以下のようなことである。
即ち、最も左方のサブ領域における第２のオブジェクトをクリアし、前記第２のオブジェクト以外の既に表示されている他のオブジェクトを、その自身が位置しているサブ領域の左方のサブ領域に移動させ、サブ領域に表示されていない一つのオブジェクトを最も右方のサブ領域に表示する。
もちろん、第２の表示領域のサブ領域が横方向に配置されるときに、配列の順番に従って、各オブジェクトを右から左に第２の表示領域のサブ領域に表示してもよい。これは実現可能である。ここでは限定されない。
【００６５】
第２の表示領域のサブ領域に存在しないオブジェクトを第２の表示領域のサブ領域へ更新する過程において、ユーザが第２の表示領域のサブ領域における１つのオブジェクトを選択する場合があるので、このときに更新処理を停止し、ユーザが選択を解除した後に更新処理を継続する。ユーザによって選択されたオブジェクトを更新しなく、他のオブジェクトを通常通りに更新してもよい。
例えば、第２の表示領域のサブ領域の縦方向の配置を例として、上記の例示に続くと、図５（ｂ）に示すように、ナンバープレートＢ６を第２の表示領域のサブ領域へ更新し、ナンバープレートＢ７を第２の表示領域のサブ領域へ更新していない場合に、ユーザがナンバープレートＢ５を選択する。
図５（ｄ）に示すように、ナンバープレートＢ５が変更されないまま、ナンバープレートＢ５以外の他のオブジェクトであるナンバープレートＢ２、ナンバープレートＢ３、ナンバープレートＢ４、ナンバープレートＢ６、ナンバープレートＢ７は通常通りに更新される。
【００６６】
本願の実施形態では、第１の表示領域に表示されるための複数のビデオデータに、予め設定されるタイプのオブジェクトを含む目標ビデオフレームが存在しているか否かを監視し、肯定である場合に、現在監視された目標ビデオフレームから予め設定されるタイプのオブジェクトを抽出し、抽出されたオブジェクトを第２の表示領域のサブ領域に表示する。これによって、ユーザが注目しているオブジェクトを画面から抽出して表示することによって、ユーザの視聴時の利便性を向上させる。
【００６７】
図１に示す方法に加えて、図６に示すように、本願の実施形態により提供されるオブジェクトの表示方法は、ステップＳ１０３の後に、さらに、以下のステップを含む。
Ｓ１０４において、オブジェクト選別命令を取得する。
抽出されたオブジェクトを第２の表示領域のサブ領域に表示した後に、ユーザは自身のニーズに応じて、表示すべきオブジェクトの目標タイプを選択することができる。例えば、図３に示すように、第２の表示領域のサブ領域に現在表示されているオブジェクトのタイプは行動オブジェクトや、顔や、ナンバープレートである。そのうち、行動オブジェクトが動的なオブジェクトである場合は、ユーザは顔しか選択しなくてもよい。このとき、電子デバイスはオブジェクトの選別命令を取得する。そのうち、オブジェクト選別命令には、選別されるオブジェクトの目標タイプを含んでおり、該目標タイプは顔である。
【００６８】
Ｓ１０５において、オブジェクト選別命令に基づいて、第２の表示領域に現在表示されているオブジェクトから、目標タイプ以外のタイプに属するオブジェクトを確定する。
【００６９】
ユーザの必要な目標タイプに対応するオブジェクトのみを表示するために、予め設定されるタイプから目標タイプ以外のタイプを確定する必要がある。目標タイプ以外のタイプを確定した後に、第２の表示領域に現在表示されているオブジェクトから、目標タイプ以外のタイプに属するオブジェクトを確定する。
【００７０】
Ｓ１０６において、第２の表示領域から目標タイプ以外のタイプに属するオブジェクトをクリアする。
【００７１】
目標タイプ以外のタイプに属するオブジェクトを確定した後に、第２の表示領域から目標タイプ以外のタイプに属するオブジェクトをクリアする。このとき、第２の表示領域には目標タイプに対応する選別オブジェクトのみが表示されている。
これにより、第２の表示領域から目標タイプ以外のタイプに属するオブジェクトをクリアするという方式によって、ユーザに選択される目標タイプのオブジェクトのみを表示するという目的を達する。
【００７２】
図１に示す方法に加えて、図７に示すように、本願の実施形態により提供されるオブジェクトの表示方法は、Ｓ１０３の後に、さらに、以下のステップを含む。
Ｓ１０７において、第３のオブジェクトに対するビデオ再生命令を取得する。
【００７３】
オブジェクトの関連情報をより明確に得るように、抽出されたオブジェクトを第２の表示領域のサブ領域に表示した後に、ユーザが自身のニーズに応じて現在表示されている一つのオブジェクトを選択する。このとき、電子デバイスは第３のオブジェクトに対するビデオ再生命令を取得する。
【００７４】
Ｓ１０８において、第３のオブジェクトに対応する目標ビデオデータをサーチする。
【００７５】
第３のオブジェクトに対するビデオ再生命令を取得した後に、第３のオブジェクトが位置している目標ビデオフレームを含んでいる目標ビデオデータをサーチするために、まず、該第３のオブジェクトが位置している目標ビデオフレームを確定し、次に、該目標ビデオフレームを再生する時点を確定し、最後に、該再生時点からの予め設定される時間内の目標ビデオデータをサーチする。そのうち、該予め設定される時間は、該再生時点の前後５秒とすることができる。
【００７６】
Ｓ１０９において、サーチされた目標ビデオデータを第３の表示領域に再生させる。
【００７７】
図８に示すように、図８は目標ビデオデータを再生するときの表示インタフェースの模式図である。第３のオブジェクトに対応する目標ビデオデータをサーチした後に、画面分割の操作を行い、その後にサーチされた目標ビデオデータを第３の表示領域に再生させる。そのうち、該画面分割の操作は、第３の表示領域の位置を確定する操作とする。該第３の表示領域は画面上の任意の領域であってもよく、ユーザの選択に応じて確定されるものであってもい。
これにより、ユーザが１つのオブジェクトを選択すると、該オブジェクトに対応する目標ビデオデータが再生され、オブジェクトの関連情報をユーザがより明確に得るようにする。
【００７８】
図１に示す方法に加えて、図９に示すように、本願の実施形態により提供されるオブジェクトの表示方法は、Ｓ１０３の後に、さらに、以下のステップを含む。
Ｓ１１０において、オブジェクトに対応するビデオキャプチャデバイスのデバイス情報を確定する。
【００７９】
第１の表示領域に表示されるためのビデオデータが複数あるので、第２の表示領域のサブ領域に表示される抽出されたオブジェクトがどのビデオキャプチャデバイスによってキャプチャされたビデオデータに存在するかこと、および該ビデオキャプチャデバイスの取付場所などの情報をユーザが明確に得るように、オブジェクトに対応するビデオキャプチャデバイスのデバイス情報を確定する。そのうち、該デバイス情報は、デバイスモデル、取付場所、およびデバイスチャネルのうちの少なくとも１つを含む。
【００８０】
Ｓ１１１において、第２の表示領域におけるオブジェクトが表示されているサブ領域に、オブジェクトに対応するデバイス情報を表示する。
【００８１】
オブジェクトに対応するビデオキャプチャデバイスのデバイス情報を確定した後に、第２の表示領域におけるオブジェクトが表示されているサブ領域に、オブジェクトに対応するデバイス情報を表示する。
これにより、オブジェクトに対応するデバイス情報を表示するという方式によって、オブジェクトに対応するビデオキャプチャデバイスの関連情報をユーザが明確に得るようにする。
【００８２】
上記方法の実施形態に対応し、図１０に示すように、本願の実施形態により更に提供されるオブジェクトの表示装置は、電子デバイスに適用される。
前記オブジェクトの表示装置は、
第１の表示領域に表示されるための複数のビデオデータに、予め設定されるタイプのオブジェクトを含む目標ビデオフレームが存在しているか否かを監視し、存在していると監視された場合に、抽出モジュール１００２をトリガーする監視モジュール１００１と、
現在監視された目標ビデオフレームから前記予め設定されるタイプのオブジェクトを抽出するための前記抽出モジュール１００２と、
抽出されたオブジェクトを前記第１の表示領域と異なる第２の表示領域のサブ領域に表示するための表示モジュール１００３と、を含み、１つのオブジェクトが１つのサブ領域に対応する。
【００８３】
本願の実施形態では、第１の表示領域に表示されるための複数のビデオデータに、予め設定されるタイプのオブジェクトを含む目標ビデオフレームが存在しているか否かを監視し、肯定である場合には、現在監視された目標ビデオフレームから予め設定されるタイプのオブジェクトを抽出し、抽出されたオブジェクトを第２の表示領域のサブ領域に表示し、これにより、ユーザが注目しているオブジェクトを画面から抽出して表示することで、ユーザの視聴時の利便性を向上させることができる。
【００８４】
実施態様の一例としては、前記監視モジュール１００１は、
第１の表示領域に表示されるための複数のビデオデータにおけるビデオフレームに対して、予め設定されるタイプのオブジェクト検出を行うためのオブジェクト検出サブユニットと、
オブジェクト検出の検出結果に基づいて、予め設定されるタイプのオブジェクトを含む目標ビデオフレームが存在しているか否かを確定するための目標ビデオフレーム確定サブユニットと、を含んでよい。
【００８５】
実施態様の一例としては、本願の実施形態により提供されるオブジェクトの表示装置は、更に、
第１の表示領域に表示されるための複数のビデオデータにおけるビデオフレームに対して、予め設定されるタイプのオブジェクト検出を行う前に、前記複数のビデオデータに対応するビデオキャプチャデバイスが予め設定されるタイプのオブジェクト検出をサポートするか否かを判定し、判定結果が否定である場合にオブジェクト検出サブユニットをトリガーするための判定モジュールと、を含んでよい。
【００８６】
実施態様の一例としては、本願の実施形態により提供されるオブジェクトの表示装置は、さらに、
判定モジュールによる判定結果が肯定である場合には、前記ビデオキャプチャデバイスにより第１の表示領域に表示されるための複数のビデオデータにおけるビデオフレームに対して、予め設定されるタイプのオブジェクト検出を行った検出結果に基づいて、予め設定されるタイプのオブジェクトを含む目標ビデオフレームが存在しているか否かを確定するための確定モジュールを含んでよい。
【００８７】
実施態様の一例としては、前記抽出モジュール１００２は、具体的に、
現在監視された目標ビデオフレームから、参照オブジェクトと異なる前記予め設定されるタイプのオブジェクトを抽出してもよく、そのうち、前記参照オブジェクトが現在監視された目標ビデオフレーム以前の目標ビデオフレームから抽出された前記予め設定されるタイプのオブジェクトである。
【００８８】
実施態様の一例としては、前記表示モジュール１００３は、
予め設定される規則に従って、抽出されたオブジェクトをソートし、前記オブジェクトの配列の順番を取得するための配列順番確定サブユニットと、
前記配列の順番に従って、前記オブジェクトを第２の表示領域のサブ領域に表示するためのオブジェクト表示サブユニットと、を含んでよい。
【００８９】
実施態様の一例として、前記第２の表示領域のサブ領域は縦方向に配置され、
前記オブジェクト表示サブユニットは、
前記配列の順番に従って、各オブジェクトを下から上に第２の表示領域のサブ領域に表示するための第１の表示サブモジュールと、
前記オブジェクトには、サブ領域に表示されていないオブジェクトが存在しているか否かを判定し、存在していると判定した場合に第１の更新サブモジュールをトリガーするための第１のオブジェクト判定サブモジュールと、
最も下方のサブ領域における第１のオブジェクトをクリアし、前記第１のオブジェクト以外の既に表示されている他のオブジェクトを、その自身が位置しているサブ領域の下方のサブ領域に順に移動させ、サブ領域に表示されていない一つのオブジェクトを最も上方のサブ領域に表示し、前記第１のオブジェクト判定サブモジュールをトリガーするための前記第１の更新サブモジュールと、を含み、
或いは、
前記第２の表示領域のサブ領域は横方向に配置され、
前記オブジェクト表示サブユニットは、
前記配列の順番に従って、各オブジェクトを左から右に第２の表示領域のサブ領域に表示するための第２の表示サブモジュールと、
前記オブジェクトには、サブ領域に表示されていないオブジェクトが存在しているか否かを判定し、存在していると判定した場合に第２の更新サブモジュールをトリガーするための第２のオブジェクト判定サブモジュールと、
最も左方のサブ領域における第２のオブジェクトをクリアし、前記第２のオブジェクト以外の既に表示されている他のオブジェクトを、その自身が位置しているサブ領域の左方のサブ領域に順に移動させ、サブ領域に表示されていないあるオブジェクトを最も右方のサブ領域に表示し、前記第２のオブジェクト判定サブモジュールをトリガーするための前記第２の更新サブモジュールと、を含んでよい。
【００９０】
実施態様の一例としては、本願の実施形態により提供されるオブジェクトの表示装置は、さらに、
抽出されたオブジェクトを第２の表示領域のサブ領域に表示した後に、選別されるオブジェクトの目標タイプを含んでいるオブジェクト選別命令を取得するための選別命令取得モジュールと、
前記オブジェクト選別命令に基づいて、前記第２の表示領域に現在表示されているオブジェクトから、前記目標タイプ以外のタイプに属するオブジェクトを確定するためのオブジェクト確定モジュールと、
前記第２の表示領域から前記目標タイプ以外のタイプに属するオブジェクトをクリアするためのクリアモジュールと、を含んでよい。
これにより、第２の表示領域から目標タイプ以外のタイプに属するオブジェクトをクリアすることによって、ユーザによって選択される目標タイプのオブジェクトのみを表示するという目的を達する。
【００９１】
実施態様の一例としては、本願の実施形態により提供されるオブジェクトの表示装置は、さらに、
抽出されたオブジェクトを第２の表示領域のサブ領域に表示した後に、第３のオブジェクトに対するビデオ再生命令を取得するためのビデオ再生命令取得モジュールと、
前記第３のオブジェクトに対応する目標ビデオデータをサーチするためのサーチモジュールであって、前記目標ビデオデータには前記第３のオブジェクトが位置している目標ビデオフレームを含んでいるサーチモジュールと、
サーチされた目標ビデオデータを第３の表示領域に再生させるための再生モジュールと、を含んでよい。
これにより、ユーザが１つのオブジェクトを選択すると、該オブジェクトに対応する目標ビデオデータが再生され、オブジェクトの関連情報をユーザがより明確に得るようにする。
【００９２】
本願の実施形態により提供されるオブジェクトの表示装置は、さらに、
抽出されたオブジェクトを第２の表示領域のサブ領域に表示した後に、前記オブジェクトに対応するビデオキャプチャデバイスのデバイス情報を確定するためのデバイス情報確定モジュールと、
前記第２の表示領域におけるオブジェクトが表示されているサブ領域に、前記オブジェクトに対応するデバイス情報を表示するためのデバイス情報表示モジュールと、を含んでよい。
これにより、オブジェクトに対応するデバイス情報を表示するという方式によって、オブジェクトに対応するビデオキャプチャデバイスの関連情報をユーザが明確に得るようにする。
【００９３】
本願の実施形態は、さらに、図１１に示すように、プロセッサ１１０１と、通信インタフェース１１０２と、メモリ１１０３と、通信バス１１０４とを備える電子デバイスを提供している。そのうち、プロセッサ１１０１と、通信インタフェース１１０２と、メモリ１１０３は通信バス１１０４によって互いに通信する。
メモリ１１０３はコンピュータプログラムを記憶するように構成される。
プロセッサ１１０１は、メモリ１１０３に記憶されているプログラムを実行することによって、前記オブジェクトの表示方法を実現するように構成される。
前記オブジェクトの表示方法は、
第１の表示領域に表示されるための複数のビデオデータに、予め設定されるタイプのオブジェクトを含む目標ビデオフレームが存在しているか否かを監視するステップと、
存在していると監視されたときに、現在監視された目標ビデオフレームから予め設定されるタイプのオブジェクトを抽出するステップと、
抽出されたオブジェクトを前記第１の表示領域と異なる第２の表示領域のサブ領域に表示するステップと、を含み、１つのオブジェクトが１つのサブ領域に対応する。
【００９４】
本願の一つの実施態様としては、前記第１の表示領域に表示されるための複数のビデオデータに、予め設定されるタイプのオブジェクトを含む目標ビデオフレームが存在しているか否かを監視するステップは、
第１の表示領域に表示されるための複数のビデオデータにおけるビデオフレームに対して、予め設定されるタイプのオブジェクト検出を行うステップと、
オブジェクト検出の検出結果に基づいて、予め設定されるタイプのオブジェクトを含む目標ビデオフレームが存在しているか否かを確定するステップと、を含む。
【００９５】
本願のひとつの実施態様としては、本願の実施態様により提供されるオブジェクトの表示方法は、前記第１の表示領域に表示されるための複数のビデオデータにおけるビデオフレームに対して、予め設定されるタイプのオブジェクト検出を行う前に、さらに、
前記複数のビデオデータに対応するビデオキャプチャデバイスが予め設定されるタイプのオブジェクト検出をサポートするか否かを判定するステップと、
判定結果が否定であると、第１の表示領域に表示されるための複数のビデオデータにおけるビデオフレームに対して予め設定されるタイプのオブジェクト検出を継続するステップと、を含む。
【００９６】
本願のひとつの実施態様としては、本願の実施態様により提供されるオブジェクトの表示方法は、さらに、
判定結果が肯定であると、前記ビデオキャプチャデバイスにより第１の表示領域に表示されるための複数のビデオデータにおけるビデオフレームに対して予め設定されるタイプのオブジェクト検出を行った検出結果に基づいて、予め設定されるタイプのオブジェクトを含む目標ビデオフレームが存在しているか否かを確定するステップを含む。
【００９７】
本願のひとつの実施態様としては、前記現在監視された目標ビデオフレームから前記予め設定されるタイプのオブジェクトを抽出するステップは、
現在監視された目標ビデオフレームから、参照オブジェクトと異なる前記予め設定されるタイプのオブジェクトを抽出し、前記参照オブジェクトが現在監視された目標ビデオフレーム以前の目標ビデオフレームから抽出された前記予め設定されるタイプのオブジェクトであるステップを含む。
【００９８】
本願のひとつの実施態様としては、前記抽出されたオブジェクトを第２の表示領域のサブ領域に表示されるステップは、
予め設定される規則に従って、抽出されたオブジェクトをソートし、前記オブジェクトの配列の順番を取得するステップと、
前記配列の順番に従って、前記オブジェクトを第２の表示領域のサブ領域に表示するステップと、を含む。
【００９９】
本願のひとつの実施態様としては、前記第２の表示領域のサブ領域は縦方向に配置され、
前記配列の順番に従って、前記オブジェクトを第２の表示領域のサブ領域に表示するステップは、
前記配列の順番に従って、各オブジェクトを下から上に第２の表示領域のサブ領域に表示するステップと、
前記オブジェクトにはサブ領域に表示されていないオブジェクトが存在しているか否かを判定するステップと、
存在していると判定すると、最も下方のサブ領域における第１のオブジェクトをクリアし、前記第１のオブジェクト以外の既に表示されている他のオブジェクトを、その自身が位置しているサブ領域の下方のサブ領域に順に移動させ、サブ領域に表示されていない一つのオブジェクトを最も上方のサブ領域に表示し、前記の前記オブジェクトにはサブ領域に表示されていないオブジェクトが存在しているか否かを判定するステップに戻すステップと、を含み、
或いは、
前記第２の表示領域のサブ領域は横方向に配置され、
前記の前記配列の順番に従って、前記オブジェクトを第２の表示領域のサブ領域に表示するステップは、
前記配列の順番に従って、各オブジェクトを左から右に第２の表示領域のサブ領域に表示するステップと、
前記オブジェクトにはサブ領域に表示されていないオブジェクトが存在しているか否かを判定するステップと、
存在していると判定すると、最も左方のサブ領域における第２のオブジェクトをクリアし、前記第２のオブジェクト以外の既に表示されている他のオブジェクトを、その自身が位置しているサブ領域の左方のサブ領域に順に移動させ、サブ領域に表示されていない一つのオブジェクトを最も右方のサブ領域に表示し、前記の前記オブジェクトにサブ領域には表示されていないオブジェクトが存在しているか否かを判定するステップに戻すステップと、を含む。
【０１００】
本願のひとつの実施態様としては、本願の実施態様に提供されるオブジェクトの表示方法は、抽出されたオブジェクトを第２の表示領域のサブ領域に表示した後に、さらに、
オブジェクト選別命令を取得し、前記オブジェクト選別命令には、選別されるオブジェクトの目標タイプを含んでいるステップと、
前記オブジェクト選別命令に基づいて、前記第２の表示領域に現在表示されているオブジェクトから、前記目標タイプ以外のタイプに属するオブジェクトを確定するステップと、
前記第２の表示領域から前記目標タイプ以外のタイプに属するオブジェクトをクリアするステップと、を含む。
【０１０１】
本願のひとつの実施態様としては、本願の実施態様により提供されるオブジェクトの表示方法は、抽出されたオブジェクトを第２の表示領域のサブ領域に表示した後に、さらに、
第３のオブジェクトに対するビデオ再生命令を取得するステップと、
前記第３のオブジェクトに対応する目標ビデオデータをサーチし、前記目標ビデオデータには前記第３のオブジェクトが位置している目標ビデオフレームを含んでいるステップと、
サーチされた目標ビデオデータを第３の表示領域に再生させるステップと、を含む。
【０１０２】
本願のひとつの実施態様としては、本願の実施態様により提供されるオブジェクトの表示方法は、抽出されたオブジェクトを第２の表示領域のサブ領域に表示した後に、さらに、
前記オブジェクトに対応するビデオキャプチャデバイスのデバイス情報を確定するステップと、
前記第２の表示領域における前記オブジェクトが表示されているサブ領域に、前記オブジェクトに対応するデバイス情報を表示するステップと、を含む。
【０１０３】
本願の実施形態では、第１の表示領域に表示されるための複数のビデオデータに、予め設定されるタイプのオブジェクトを含む目標ビデオフレームが存在しているか否かを監視し、肯定である場合には、現在監視された目標ビデオフレームから予め設定されるタイプのオブジェクトを抽出し、抽出されたオブジェクトを前記第２の表示領域のサブ領域に表示し、これにより、ユーザが注目しているオブジェクトを画面から抽出して表示することで、ユーザの視聴時の利便性を向上させることができる。
【０１０４】
本願の実施形態は、さらに、コンピュータ読み取り可能な記録媒体を提供している。前記記録媒体にコンピュータプログラムが記録されており、前記コンピュータプログラムがプロセッサに実行されることによって、前記オブジェクトの表示方法を実現する。
前記オブジェクトの表示方法は、
第１の表示領域に表示されるための複数のビデオデータに、予め設定されるタイプのオブジェクトを含む目標ビデオフレームが存在しているか否かを監視するステップと、
存在していると監視されたときに、現在監視された目標ビデオフレームから前記予め設定されるタイプのオブジェクトを抽出するステップと、
抽出されたオブジェクトを前記第１の表示領域と異なる第２の表示領域のサブ領域に表示するステップと、を含み、１つのオブジェクトが１つのサブ領域に対応する。
【０１０５】
本願のひとつの実施態様では、前記第１の表示領域に表示されるための複数のビデオデータに、予め設定されるタイプのオブジェクトを含む目標ビデオフレームが存在しているか否かを監視するステップは、
第１の表示領域に表示されるための複数のビデオデータにおけるビデオフレームに対して、予め設定されるタイプのオブジェクト検出を行うステップと、
オブジェクト検出の検出結果に基づいて、予め設定されるタイプのオブジェクトを含む目標ビデオフレームが存在しているか否かを確定するステップと、を含む。
【０１０６】
本願のひとつの実施態様では、本願実施形態により提供されるオブジェクトの表示方法は、第１の表示領域に表示されるための複数のビデオデータにおけるビデオフレームに対して、予め設定されるタイプのオブジェクト検出を行う前に、さらに、
前記複数のビデオデータに対応するビデオキャプチャデバイスが予め設定されるタイプのオブジェクト検出をサポートするか否かを判定するステップと、
判定結果が否定であると、第１の表示領域に表示されるための複数のビデオデータにおけるビデオフレームに対して、予め設定されるタイプのオブジェクト検出を継続するステップと、を含む。
【０１０７】
本願のひとつの実施態様では、本願実施形態により提供されるオブジェクトの表示方法は、さらに、
判定結果が肯定であると、前記ビデオキャプチャデバイスにより第１の表示領域に表示されるための複数のビデオデータにおけるビデオフレームに対して、予め設定されるタイプのオブジェクト検出を行った検出結果に基づいて、予め設定されるタイプのオブジェクトを含む目標ビデオフレームが存在しているか否かを確定するステップを含む。
【０１０８】
本願のひとつの実施態様では、現在監視された目標ビデオフレームから前記予め設定されるタイプのオブジェクトを抽出するステップは、
現在監視された目標ビデオフレームから、参照オブジェクトと異なる前記予め設定されるタイプのオブジェクトを抽出し、前記参照オブジェクトが現在監視された目標ビデオフレーム以前の目標ビデオフレームから抽出された前記予め設定されるタイプのオブジェクトであるステップを含む。
【０１０９】
本願のひとつの実施態様では、抽出されたオブジェクトを第２の表示領域のサブ領域に表示するステップは、
予め設定される規則に従って、抽出されたオブジェクトをソートし、前記オブジェクトの配列の順番を取得するステップと、
前記配列の順番に従って、前記オブジェクトを第２の表示領域のサブ領域に表示するステップと、を含む。
【０１１０】
本願のひとつの実施態様では、前記第２の表示領域のサブ領域は縦方向に配置され、前記の前記配列の順番に従って、前記オブジェクトを第２の表示領域のサブ領域に表示するステップは、
前記配列の順番に従って、各オブジェクトを下から上に第２の表示領域のサブ領域に表示するステップと、
前記オブジェクトにはサブ領域に表示されていないオブジェクトが存在しているか否かを判定するステップと、
存在していると判定すると、最も下方のサブ領域における第１のオブジェクトをクリアし、前記第１のオブジェクト以外の既に表示されている他のオブジェクトを、その自身が位置しているサブ領域の下方のサブ領域に順に移動させ、サブ領域に表示されていない一つのオブジェクトを最も上方のサブ領域に表示し、前記の前記オブジェクトにはサブ領域に表示されていないオブジェクトが存在しているか否かを判定するステップに戻すステップと、を含み、
或いは、
前記第２の表示領域のサブ領域は横方向に配置され、
前記の前記配列の順番に従って、前記オブジェクトを第２の表示領域のサブ領域に表示するステップは、
前記配列の順番に従って、各オブジェクトを左から右に第２の表示領域のサブ領域に表示するステップと、
前記オブジェクトにはサブ領域に表示されていないオブジェクトが存在しているか否かを判定するステップと、
存在していると判定すると、最も左方のサブ領域における第２のオブジェクトをクリアし、前記第２のオブジェクト以外の既に表示されている他のオブジェクトを、その自身が位置しているサブ領域の左方のサブ領域に順に移動させ、サブ領域に表示されていない一つのオブジェクトを最も右方のサブ領域に表示し、前記オブジェクトにサブ領域に表示されていないオブジェクトが存在しているか否かを判定するステップに戻すステップと、を含む。
【０１１１】
本願のひとつの実施態様では、本願実施形態により提供されるオブジェクトの表示方法は、抽出されたオブジェクトを第２の表示領域のサブ領域に表示した後に、さらに、
オブジェクト選別命令を取得し、前記オブジェクト選別命令には選別されるオブジェクトの目標タイプを含んでいるステップと、
前記オブジェクト選別命令に基づいて、前記第２の表示領域に現在表示されているオブジェクトから、前記目標タイプ以外のタイプに属するオブジェクトを確定するステップと、
前記第２の表示領域から前記目標タイプ以外のタイプに属するオブジェクトをクリアするステップと、を含む。
【０１１２】
本願のひとつの実施態様では、本願実施形態により提供されるオブジェクトの表示方法は、抽出されたオブジェクトを第２の表示領域のサブ領域に表示した後に、さらに、
第３のオブジェクトに対するビデオ再生命令を取得するステップと、
前記第３のオブジェクトに対応する目標ビデオデータをサーチし、前記目標ビデオデータには前記第３のオブジェクトが位置している目標ビデオフレームを含んでいるステップと、
サーチされた目標ビデオデータを第３の表示領域に再生させるステップと、を含む。
【０１１３】
本願のひとつの実施態様では、本願実施形態により提供されるオブジェクトの表示方法は、抽出されたオブジェクトを第２の表示領域のサブ領域に表示した後に、さらに、
前記オブジェクトに対応するビデオキャプチャデバイスのデバイス情報を確定するステップと、
前記第２の表示領域におけるオブジェクトが表示されているサブ領域に、前記オブジェクトに対応するデバイス情報を表示するステップと、を含む。
【０１１４】
本願の実施形態では、第１の表示領域に表示されるための複数のビデオデータに、予め設定されるタイプのオブジェクトを含む目標ビデオフレームが存在しているか否かを監視し、肯定である場合には、現在監視された目標ビデオフレームから予め設定されるタイプのオブジェクトを抽出し、抽出されたオブジェクトを前記第２の表示領域のサブ領域に表示し、これにより、ユーザが注目しているオブジェクトを画面から抽出して表示することで、ユーザの視聴時の利便性を向上させることができる。
【０１１５】
なお、本明細書において、「第１」及び「第２」等のような関係用語は１つの実物又は操作を他の実物又は操作と区別するためのものであり、必ずしもこれらの実物又は操作同士にいかなるこのような実際の関係又は順序が存在するように要求又は暗示するとは限らない。且つ、用語「含む」、「備える」又はその任意の変形は非排他的包含をカーバすることを意図することにより一連の要素を備える過程、方法、品物又は装置はそれらの要素を備えるだけでなく、更に明確に列挙しない他の要素や、更にこのような過程、方法、品物又は装置に固有される要素も含むことを意図している。より多く制限されない場合、語句「１つの〇〇を備える」によって制限される要素は、前記要素を備える過程、方法、品物又は装置には更に他の同じ要素を備えることを排除するものではない。
【０１１６】
本明細書における各実施形態はいずれも関連方式で説明されるが、各実施形態同士の同様又は類似の部分は互いに参照すればよく、各実施形態における重点的に説明した箇所はいずれも他の実施形態との相違点である。特に、図１０に示すオブジェクトの表示装置の実施形態、図１１に示す電子デバイスの実施形態及びコンピュータ読み取り可能な記録媒体については、図１に示すオブジェクトの表示方法の実施形態と略同様であるため、より簡単に説明したが、関連個所は図１に示すオブジェクトの表示方法の実施形態の説明の一部を参照すればよい。
【０１１７】
以上の説明は本願の好適な実施形態に過ぎず、本願の保護範囲を制限するためのものではない。本願の主旨及び原則を逸脱しない範囲においてなされるいかなる修正、等価置換、改良等は、いずれも本願の保護範囲内に含まれる。
【図１】
0006811330.tif 000002
【図２】
0006811330.tif 000003
【図３】
0006811330.tif 000004
【図４】
0006811330.tif 000005
【図５】
0006811330.tif 000006
【図６】
0006811330.tif 000007
【図７】
0006811330.tif 000008
【図８】
0006811330.tif 000009
【図９】
0006811330.tif 000010
【図１０】
0006811330.tif 000011
【図１１】
0006811330.tif 000012